(57)【要約】      （修正有）【課題】表面上にＵＶ光を効率的に向けるように構成されている反射器システムを有する紫外線（ＵＶ）発光アセンブリの提供。【解決手段】放出光１８０を光源１２６から離れる方向に方向付けるように構成されている内部中央頂部１３６を有する基部１３０を含む反射器システム１２４を備え、光源１２６が紫外（ＵＶ）光１８０を放出するように構成されている照明アセンブリ１１６。【選択図】図６
2019072476.tif 000002
【特許請求の範囲】
【請求項１】
放出光（１８０）を光（１８０）源から離れる方向に方向付けるように構成されている内部中央頂部（１３６）を有する基部（１３０）を含む反射器システム（１２４）
を備える照明アセンブリ（１１６）。
【請求項２】
前記反射器システム（１２４）内に配置された前記光（１８０）源を更に備え、前記光（１８０）源が紫外（ＵＶ）光（１８０）を放出するように構成されている、請求項１に記載の照明アセンブリ（１１６）。
【請求項３】
前記中央頂部（１３６）が、前記光（１８０）源から放出された光（１８０）が前記光（１８０）源に対して反射することを阻止する、請求項２に記載の照明アセンブリ（１１６）。
【請求項４】
前記中央頂部（１３６）が前記光（１８０）源の後ろにあり、前記光（１８０）源が前記反射器システム（１２４）の前記中央頂部（１３６）と出光（１８０）路との間にある、請求項２又は３に記載の照明アセンブリ（１１６）。
【請求項５】
前記中央頂部（１３６）と前記光（１８０）源が前記反射器システム（１２４）の中心平面に沿って一直線に並んでいる、請求項２、３又は４のいずれか一項に記載の照明アセンブリ（１１６）。
【請求項６】
前記光（１８０）源を前記中央頂部（１３６）にしっかりと連結する保持部材（１２８）を更に備える、請求項２−５のいずれか一項に記載の照明アセンブリ（１１６）。
【請求項７】
前記基部（１３０）がＷ字形である、請求項１−６のいずれか一項に記載の照明アセンブリ（１１６）。
【請求項８】
前記基部（１３０）が、
外側反射板パネル（１４０）；及び
前記外側反射板パネル（１４０）に連結されている内側反射板パネル（１４２）であって、前記内側反射板パネル（１４２）が、外端部（１４３，１４７）から中央長手方向平面（１４４，１５０）に向かって下方に傾斜し、かつ、前記中央頂部（１３６）で互いに直接連結しており、前記内側反射板パネル（１４２）の前記外端部（１４３，１４７）が山側頂点（１４６）で前記外側反射板パネル（１４０）の内端部（１４５）に連結している、内側反射板パネル（１４２）
を備える、請求項１−７のいずれか一項に記載の照明アセンブリ（１１６）。
【請求項９】
前記反射器システム（１２４）が、前記基部（１３０）の側面に位置する両側面反射板パネル（１３２）を更に備える、請求項１−８のいずれか一項に記載の照明アセンブリ（１１６）。
【請求項１０】
前記反射器システム（１２４）が両端部につま面（１３２）を更に備える、請求項１−９のいずれか一項に記載の照明アセンブリ（１１６）。
【請求項１１】
前記基部（１３０）が単一の基材から形成される、請求項１−１０のいずれか一項に記載の照明アセンブリ（１１６）。
【請求項１２】
前記反射器システム（１２４）の長さ（１７０，１７２）が前記反射器システム（１２４）の幅（１７４）より大きい、請求項１−１１のいずれか一項に記載の照明アセンブリ（１１６）。
【請求項１３】
照明アセンブリ（１１６）を製造する方法であって、
反射器システム（１２４）を形成することを含み、前記反射器システム（１２４）を形成することが、放出光（１８０）を光（１８０）源から離れる方向に方向付けるように構成されている内部中央頂部（１３６）を有する基部（１３０）を形成することを含む、方法。
【請求項１４】
前記光（１８０）源を前記反射器システム（１２４）内に配置することを更に含み、前記光（１８０）源が紫外（ＵＶ）光（１８０）を放出するように構成されている、請求項１３に記載の方法。
【請求項１５】
前記中央頂部（１３６）を前記光（１８０）源の後ろに配置することを更に含み、前記中央頂部（１３６）を配置することが、前記中央頂部（１３６）と出光（１８０）路の間に前記光（１８０）源を配置することを含む、請求項１３又は１４に記載の方法。
【発明の詳細な説明】
【技術分野】
【０００１】
本開示の実施形態は、概して照明アセンブリに関し、より具体的には、表面上にＵＶ光を効率的に向けるように構成されている反射器システムを有する紫外線（ＵＶ）発光アセンブリに関する。
【背景技術】
【０００２】
民間航空機は、様々な場所の間で乗客を搬送するために使用される。典型的な民間航空機は、内部キャビンの中に一又は複数の化粧室を含む。
紫外（ＵＶ）光を使用する、航空機の化粧室内の表面を殺菌あるいは消毒するためのシステムが開発中である。遠紫外光が化粧室内の露出表面を効率的に殺菌することが分かっている。ＵＶＣ光もまた、露出表面を消毒するために使用される。
【０００３】
化粧室内の表面を効果的に消毒するために、ＵＶ照明アセンブリを表面に近接して固定することができる。例えば、ＵＶ照明アセンブリは、化粧室内で便器から１フィート未満の距離離れていてもよい。
【０００４】
多くのＵＶ光源は比較的大きくてかさばっており、航空機の化粧室の狭い空間に組み込むのは難しい可能性がある。一例として、既知のＵＶ光アセンブリは、ＵＶ光源より実質的に大きい直径を有するパラボラ反射器を含む。比較的大きい反射器はかなりの空間を占める。しかし、理解できるように、航空機内の空間は限られており、特定のＵＶ光アセンブリは航空機の特定の領域に組み込むには大きすぎる可能性がある。
【０００５】
更に、曲面反射器を製造するプロセスは、多くの場合時間及び労働集約的であり、ＵＶ光源、特にＵＶＣ波長（２００-２８０ｎｍ）のＵＶ光源と共に使用されるような反射器の場合はなおさらである。概して、ＵＶＣ波長で使用され既知の反射器は、曲面形状に形成された反射材料でできている。
【０００６】
既知の反射器は通常、光源から離れたところへＵＶ光を反射しない。例えば、標準的なＴ−６蛍光管は、ガス充填管である。そのため、反射して電球に戻った光は、再び電球から出射することができる。しかしＵＶ電球は、その中に金属棒を有しており、それが光が電球を通過するのを防止あるいは阻止している。
【発明の概要】
【０００７】
より均一に光を表面に反射するように構成されている、ＵＶ照明アセンブリ用の反射器システムが必要とされている。更に、航空機の化粧室内などの限られた空間に組み込むことができる、ＵＶ照明アセンブリ用の効率的でコンパクトな反射器システムが必要とされている。また、反射器から外へ向けられる光の量を増加させながら、電球に跳ね返る光を減少させるＵＶランプ反射器に対する必要性が存在する。
【０００８】
これらの必要性を考慮して、本開示の特定の実施形態は、放出光を光源から離れる方向に向けるように構成されている内部中央頂部を有する基部を含む反射器システムを含む照明アセンブリを提供する。光源は、反射器システム内に配置される。少なくとも１つの実施形態において、光源は、例えばＵＶＣ光などの紫外（ＵＶ）光を放出するように構成される。中央頂部は、光源から放出された光が光源に対して反射することを阻止する。
【０００９】
中央の頂部は、光源の後ろにある。光源は、反射器システムの中央頂部と出光口路との間に配置される。少なくとも１つの実施形態において、中央頂部と光源は、反射器システムの中心平面に沿って一直線に並んでいる。
【００１０】
照明アセンブリはまた、光源を中央頂部にしっかりと連結する保持部材を含みうる。
【００１１】
少なくとも１つの実施形態において、基部は、Ｗ字形である。少なくとも１つの実施形態において、基部は、外側反射板パネルと、外側反射板パネルに連結されている内側反射板パネルとを含む。内側反射板パネルは、外端部から中央長手方向平面に向かって下方に傾斜し、中央頂部で互いに直接連結している。内側反射板パネルの外端部は、山側頂点で外側反射板パネルの内端部に接続している。
【００１２】
反射器システムは更に、基部の側面に位置する両側面反射板パネルを含んでもよい。反射器システムは更に、両端部につま面を含んでもよい。
【００１３】
少なくとも１つの実施形態において、基部は、単一の基材から形成される。
【００１４】
少なくとも１つの実施形態において、反射器システムの長さは、反射器システムの幅より大きい。
【００１５】
本開示の特定の実施形態は、照明アセンブリを製造する方法を提供する。この方法は、反射器システムを形成することを含む。この形成することとは、放出光を光源から離れる方向に方向付けるように構成されている内部中央頂部を有する基部を形成することを含む。
【図面の簡単な説明】
【００１６】
【図１】本開示の一実施形態による、閉鎖空間用の紫外線消毒システムの概略図を示す。
【図２】本開示の一実施形態による、反射器システムの斜視側面図を示す。
【図３】本開示の一実施形態による、反射器システムに固定された光源の端面図を示す。
【図４】本開示の一実施形態による、光源の斜視側面図を示す。
【図５】本開示の一実施形態による、コンポーネントの表面に光を放つ照明アセンブリの端面図を示す。
【図６】本開示の一実施形態による、コンポーネントの表面に光を放つ照明アセンブリの端面図を示す。
【図７】本開示の一実施形態による、照明アセンブリの反射器システムを形成する方法のフロー図を示す。
【発明を実施するための形態】
【００１７】
上記の概要及び特定の実施形態の以下の詳細な説明は、添付の図面と併せて読むことにより、よりよく理解されよう。本明細書で使用される、単数形で記載され、「１つの（「a」又は「an」）」という語の後に続く要素又は工程は、複数の要素又は工程を必ずしも除外しないと理解されたい。更に、「一実施形態／１つの実施形態（one embodiment）」への言及は、記載されている特徴を同様に包含する追加の実施形態の存在を除外すると解釈されることを意図していない。更に、そうではないと明示的に述べられていない限り、特定の条件を有する一又は複数の要素を「含む」又は「有する」実施形態は、その条件を有しない追加の要素を含みうる。
【００１８】
本開示の特定の実施形態は、光源からの光を表面上に効率的に方向づけるように構成されている反射器システムを含む、照明アセンブリを提供する。反射器システムは、表面上の微生物を除去するために、光源（例えば円筒型ＵＶＣランプなど）からの光を光源の周囲に等方的に向け直して表面を均一に照射するように構成される。反射器システムは、既知の曲面反射器よりも製造が容易である。
【００１９】
ＵＶＣ光源は、管の周りで等方的に光を放出する１つ以上の円筒型管形電球（cylindrical tube lamp）を含んでもよい。反射器システムは、ＵＶＣ光源から放出された光を標的表面上に向け直して、ＵＶ光強度を増大させる。
【００２０】
反射器システムは、複数の平面（すなわち、パラボラ又は曲面ではない）反射板パネルを含む。少なくとも１つの実施形態において、一群の多面反射板パネルが光源（例えば管形ＵＶＣ電球など）の周りに配置される。反射板パネルは、光がランプに跳ね返るのを最小限に抑えるか、さもなくば低減しながら、照明アセンブリから放出される光を方向付ける。
【００２１】
本開示の特定の実施形態では、ＵＶ光源によって生成された光を方向付けるための装置を提供する。この装置は、基部を形成するようにＷ字形に配置された複数の平面反射板パネルと、基部の両側面に位置し、基部の端部から延びる側面反射板パネルとを含む。平面反射板パネルは、ＵＶ光源によって生成された光が実質的にＵＶ光源から離れて側面反射板パネルの方に向かうように互いに対して傾斜している。
【００２２】
装置は、ＵＶ光源をＷ字型基部の中央頂部に近接して保持するように構成された、ソケットなどの保持部材を含むことができる。少なくとも１つの実施形態において、保持部材は、ＵＶ光源の中心がＷ字型基部の中央頂部から約１．５インチになるようにＵＶ光源を保持する。
【００２３】
ＵＶ光源は、ＫｒＣｌエキシマランプ、ダウンシフト（downshifting）エキシマランプ、エキシマレーザー、ＵＶＣ発光ダイオード、Ｈｇ蒸気ランプ等でありうる。
【００２４】
装置はまた、側面反射器に連結されたカバープレートを含んでもよい。カバープレートは、非晶質シリカ、石英、約２２０ｎｍで約９５％以上の透過率を有する金属フッ化物、約２２０ｎｍで約９３％から９５％の透過率を有するサイトップ  Ｓタイプのフルオロポリマー、約２２０ｎｍで約８５％の透過率を有するソラフロン（Solaflon）フルオロポリマー、約２２０ｎｍで約９０％の透過率を有するＰＣＴＦＥ（ポリクロロトリフルオロエチレン）系材料等から形成されうる。
【００２５】
少なくとも１つの実施形態において、端部反射板パネルは、Ｗ字形基部の両端部に連結されている。平面反射板パネル及び側面反射板パネルは、アルミニウムの層（例えば厚さ約０．０６２インチの層など）でコーティングされていてもよい。任意選択的に、この層は、０．０６２インチを超えるか又は０．０６２インチ未満の厚さを有してもよい。アルミニウムは、上記のパネル上に真空蒸着されていてもよい。少なくとも１つの実施形態において、上記パネル自体がアルミニウムで形成されている。装置は、アルミニウムの上に堆積されたＭｇＦ２、ＳｉＯ２又はＡｌ２Ｏ３のうちの１つ以上の層も含むことができる。
【００２６】
図１は、本開示の一実施形態による、閉鎖空間１０２用の紫外線消毒システム１００の概略図を示す。閉鎖空間１０２は、床１０４、天井１０６、及び床１０４と天井１０６の間に延在する壁１０８によって画定することができる。ドア１１０は、壁１０８のうちの１つに可動式に固定されうる。ドア１１０は、ドア１１０を閉位置に確実にロックするように構成されたロック１１２を含みうる。ロック１１２がロック位置にあるとき、ドア１１０は開かない。ロック１１２がアンロック位置にあるとき、ドア１１０は開きうる。
【００２７】
閉鎖空間１０２は、民間航空機に搭載された閉鎖空間でありうる。閉鎖空間１０２は、航空機に搭載された化粧室でありうる。別の例として、閉鎖空間１０２は、航空機に搭載されたギャレーでありうる。更に別の例として、閉鎖空間１０２は、航空機に搭載された乗客エリアでありうる。閉鎖空間１０２は、ドア１１０を含んでも含まなくてもよい。閉鎖空間１０２は、他の様々な輸送機関、構造物などの中にあってもよい。例えば、閉鎖空間１０２は、商業、官庁若しくは居住用建物又は電車、バス、船等に搭載された部屋であってもよい。
【００２８】
閉鎖空間１０２は、使用後に消毒される（例えば消毒される、滅菌される、あるいは洗浄される）少なくとも１つのコンポーネント１１４を含みうる。例えば、コンポーネント１１４は、航空機の化粧室内の便器、カウンタートップ、シンク、キャビネット、壁等でありうる。
【００２９】
ＵＶ光消毒システム１００は、天井１０６に固定することができる照明アセンブリ１１６を含む。例えば、照明アセンブリ１１６は、天井１０６の下に延在してもよく、キャビネット又はカウンタートップなどの上方、上又は下に取り付けてもよい。少なくとも１つの他の実施形態では、（開口端部、開口部、透明窓等の）出光路（light outlet passage）１１８は、天井１０６の下面と同一平面上にあるか又はその中に埋め込まれている。任意選択的に、照明アセンブリ１１６は、閉鎖空間１０２の他の様々な構造物、例えば床１０４、壁１０８、コンポーネント１１４の一部等に固定（又はそれによって支持）されてもよい。
【００３０】
照明アセンブリ１１６はハウジング１２０を含み、これは、出光路１１８と連結されている不透明な外壁１２２を含んでもよい。Ｔハウジング１２０は、反射器システム１２４と光源１２６とを保持する。光源１２６は、締め具、ブラケット又は他のそのような取付機構を介してハウジング１２０に固定されうる。少なくとも１つの実施形態において、光源１２６は、少なくとも１種の保持部材１２８、例えばソケット、ブラケット、締め具、ガイドトラック、レール、留め金、スリーブ等を介して反射器システム１２４に固定されている。少なくとも１つの実施形態において、光源１２６は、反射器システム１２４の中央頂部１３６又は別の部分には取り付けられていないが、外部支持構造物（例えばラック、壁、ブラケット、梁等）に取り付けることができる。
【００３１】
出光路１１８は、光源１２６から放出された光を通過させるように構成されている、透明プラスチック、ガラスなどで形成された透明カバー若しくは窓であるか、又はそれを含むことができる。出光路１１８は、例えばＵＶグレードの非晶質シリカ、石英、ＭｇＦ２などの金属フッ化物、サイトップ  Ｓタイプのフルオロポリマー、ソラフロンフルオロポリマー、ＰＣＴＦＥ等、１種以上の有機材料、フルオロポリマー及び／又は飽和炭化水素から形成されるカバー又は窓でありうる。任意選択的に、出光路１１８は、カバー又は窓を含まなくてもよく、その代わりに開放空間であってもよい。
【００３２】
反射器システム１２４は、基部１３０の側面に位置する両側面反射板パネル１３２に連結されている基部１３０を含む。反射器システム１２４はまた、反射器システム１２４の両端部につま面１３２も含む（つま面１３２を１つだけ図１に示す）。
【００３３】
基部１３０は、内部中央頂部１３６を有するＷ字形（図１に示すように逆Ｗ字形）に形成されている。保持部材１２８は、中央頂部１３６に連結し、光源１２６を中央頂部１３６下方の反射器システム１２４にしっかり保持することができる。中央頂部１３６は、光源１２６の後ろにある。したがって光源１２６は、中央頂部１３６の前方にある。光源１２６は、中央頂部１３６と出光路１１８との間に配置される。Ｗ字形基部１３０は、光源１２６から放出された光が光源１２６の周りで等方的に反射し、出光路１１８から外に出ることを可能にする。光源１２６から放出された光はＷ字形基部１３０によって光源１２６に対して反射することを防止あるいは阻止されることが分かった。このように、中央頂部１３６を含むＷ字形基部１３０は、光源１２６から放出される実質的に全ての光が光源１２６に戻るように方向付けられるのではなく、出光路１１８から外へと向けられる点で、照明アセンブリ１１６の効率を高める。照明アセンブリ１１６から外へ放出された光は、例えばコンポーネント１１４の表面に向けられる。少なくとも１つの実施形態において、光源１２６は、消毒用ＵＶ光をコンポーネントの表面に放射するＵＶ光源とすることもできる。
【００３４】
光源１２６は、例えばアーク灯、レーザー、発光ダイオード（ＬＥＤ）、マイクロフィラメント、光ファイバー素子、電球等の、１種以上のＵＶ光素子を含みうる。少なくとも１つの実施形態において、光源１２６が放出するＵＶ光は、コンポーネント１１４を消毒するのに使用される遠ＵＶ光である。任意選択的に、ＵＶ光は、ＵＶＡ光、ＵＶＢ光、ＵＶＣ光、真空紫外ＵＶ等であってもよい。少なくとも１つの実施形態において、光源１２６は、（例えば異なる波長及び異なる周波数で）異なるＵＶバンドを有するＵＶ光を放出するように構成されているＵＶ光素子を含みうる。例えば、あるＵＶ光素子は、遠ＵＶ光を放出するように構成されてもよく、別のＵＶ光素子はＵＶＢ光を放出するように構成されてもよい。
【００３５】
図２は、本開示の一実施形態による、反射器システム１２４の斜視側面図である。基部１３０は、両側面反射板パネル１３２に接続する。反射器システム１２４は、図示のように曲げられ形成される、例えばアルミニウム及び／又はアルミニウム合金の平板などの単一の基材から形成されうる。任意選択的に、基材は、様々な他の金属及び／又は反射材料から形成されてもよい。側面反射板パネル１３２は、平板である。任意選択的に、側面反射板パネル１３２、つま面１３４及び基部１３０は別々に形成され、例えば接合、締め具などを介して互いに固定されてもよい。あるいは、反射器システム１２４は、つま面１３４を含まなくてもよい。
【００３６】
図３は、本開示の一実施形態による、反射器システム１２４に固定された光源１３６の端面図である。基部１３０は、内側反射板パネル１４２に接続する外側反射板パネル１４０を有するＷ字形（又は図３に示すように逆Ｗ字形）を含む。外側反射板パネル１４０及び内側反射板パネル１４２は、材料の平板である。例えば、外側反射板パネル１４０及び内側反射板パネル１４２は、例えばアルミニウム及び／又はアルミニウム合金などの金属の平板であってもよい。
【００３７】
内側反射板パネル１４２は、外端部１４３から中央長手方向平面１４４に向かって下方に傾斜し、例えば谷側先端又は谷側縁部などの中央頂部１３６で互いに直接連結している。示されている通り、外端部１４３は、中央頂部１３６と比較して、かつ、中央頂部１３６に対して高い位置にある。
【００３８】
内側反射板パネル１４２の外端部１４３は、例えば山側先端又は山側縁部などの山側頂点１４６で外側反射板パネル１４０の内端部１４５に接続する。外側反射板パネル１４０は、中央長手方向平面１４４から外端部１４７に向かって下方に傾斜している。側面反射板パネル１３２は、外側反射板パネル１４０の外端部１４７から中央長手方向平面１４を離れるように下方にかつ外向きに広がる。任意選択的に、側面反射板パネル１３２は、中央長手方向平面１４４と平行であってもよい。
【００３９】
示されている通り、光源１２６は、中央頂部１３６の直下に位置してもよい。光源１２６の中央長手方向軸線１５０は、中央長手方向平面１４４内にある。すなわち、光源１２６及び中央頂部１３６は、中央長手方向平面１５０又は他の共通平面及び／若しくは軸と一直線に並んでいる。
【００４０】
中央頂部１３６は、放出された光を光源１２６から離れる方向に向ける縁部、先端又は傾斜接合部を提供する。すなわち、光源１２６によって中央頂部１３６に放出された光は、光源１２６から離れて、例えば反射板パネル１４０、内側反射板パネル１４２，及び／又は側面反射板パネル１３２の内部反射面などに反射する。外側反射板パネル１４０、内側反射板パネル１４２及び側面反射板パネル１３２に反射する放射光は、出光路１１８から外に方向付けられる。このようにして、光源１２６によって放出された光は、光源１２６に戻るようには方向付けられず、それによって効率的な光生成が促進される。
【００４１】
更に、光源１２６の動作中、光源１２６の両側に２つの仮想光源１２６ａ及び１２６ｂを作ることによって、Ｗ字形基部１３０が光源１２６を効率的に広げることが分かった。すなわちＷ字形基部１３０は、光源１２６によって生成された光が光源１２６と、光源１２６の両側の仮想光源１２６ａ及び１２６ｂとによって画定される拡大した体積から発せられているように見せる。Ｗ字形基部１３０は、影像（すなわち仮想光源１２６ａ及び１２６ｂ）を創り出し、それによってより広い光源を効果的にもたらす。
【００４２】
Ｗ字形基部１３０は、光源１２６によって放出された光を側面反射板パネル１３２に向けて反射し、これが次に光を出光路１１８からコンポーネントの表面に向け直す。外側反射板パネル１４０の内表面と内側反射板パネル１４２の内表面との間の角度は、例えば９０−１５０度でありうる。更に、内側反射板パネル１４２の外面間の角度は、例えば９０−１５０度でありうる。任意選択的に、これらの角度は、９０度未満又は１５０度を超えてもよい。
【００４３】
また、反射器システム１２４は、光源１２６から放出された光を、例えばコンポーネント１１４の表面（図１に示す）などの表面上に均一に反射することが分かった。表面上へのＵＶ光の均一な分布は、表面の均一で効果的な消毒をもたらす。
【００４４】
図４は、本開示の一実施形態による、光源１２６の斜視側面図である。光源１２６は、１つ以上の発光素子１６４を含む円筒形スリーブ６２に連結された中央金属管１６０を含みうる。内部電極１６６は管１６０に接続し、外部電極１６８は発光素子１６４に接続する。少なくとも１つの実施形態において、光源１２６は、ＵＶＣ光を発するように構成されているＵＶ光源である。例えば、光源１２６は、エキシマランプ（例えば、２２２ｎｍの波長で発光するＫｒＣｌエキシマランプなど）、ダウンシフトエキシマランプ（例えば、１７２ｎｍの波長で発光し、蛍光体により２２０−２９０ｎｍにダウンシフトするＸｅエキシマランプなど）、エキシマレーザー、１つ以上のＵＶＣ発光ダイオード（ＬＥＤ）、２５４ｎｍの波長で発光するＨｇ蒸気ランプ等であるか又はこれらを含みうる。光源１２６は、石英管を含んでもよく、又は任意選択的に、反射器システム１２４の内部反射面への外向きの等方性放射を増大させるために内側反射板（例えば、石英上の誘電体スタック又は反射性アルミニウム）を管の内側に有してもよい（図１−３に示す）。
【００４５】
少なくとも１つの実施形態において、光源１２６は、中空管内に石英管を含む。光源１２６の断面は、ドーナッツ型であってもよい。金属管が、中空管部に配置されてもよい。金属管は、内部電極として機能するか、そうでなければ内部電極を提供することができる。石英管の外側は、外部電極として機能するか、そうでなければ外部電極を提供することができるメッシュ状のスリーブを有しうる。石英管内には、ガス（例えばＫｒＣｌ又はＸｅなど）が含まれている。内部電極と外部電極との間に高電圧を印加すると、発光する。
【００４６】
任意選択的に、光源１２６は、図４に示すものとは異なる大きさ及び形状にしてもよい。例えば、光源１２６は、基部１３０（図１−３に示す）に取付られている複数のＵＶ発光素子１６４（例えば発光ダイオードなど）を含んでもよい。少なくとも１つの他の実施形態において、光源１２６は、他の種類のＵＶ光、例えば遠ＵＶ光などを放出するように構成されてもよい。あるいは、光源１２６は、紫外線などのＵＶ光以外の光である赤外光、白色光等を発するように構成されてもよい。
【００４７】
図１−４を参照すると、光源１２６は、反射器システム１２４の長さ１７２と同じか又は実質的に同じ長さ１７０を有する。光源１２６は、パラボラ又は曲面反射器と比較して側面反射板パネル１３２が光源１２６により近くなるように反射器システム１２４内に収まる。反射器システム１２４の幅１７４は、パラボラ又は曲面反射器の幅より実質的に小さく、それによって照明アセンブリ１１６をより小さな空間内に収まるようにしている。特に、曲面又はパラボラ反射器の縦軸と横軸は、大抵同じである。これに対して、反射器システム１２４の幅１７４は、長さ１７２より実質的に小さくてもよく、光源１２６の長さ及び直径（又は幅）に正比例してもよく、それによって光源１２６．の形状とより密接に調和する、コンパクトな反射器システム１２４を提供する。
【００４８】
従来の既知の反射器と比較して、反射器システム１２４は、製造が容易である。例えば、基材（例えば、アルミニウムなどの金属の単一片）を曲げて成形し、Ｗ字形基部１３０の平面表面と、側面反射板パネル１３２とを提供することができる。曲面とは対照的に、単純な平板パネルを製造プロセス中に形成することができる。平板パネルは、高い反射率を提供する。例えば、平板パネル上にアルミニウムを真空蒸着すると、反射率が上昇することが分かった。このような平板パネル（flap panel）は、その上にアルミニウムの改善された堆積を可能にし、それはより高い反射率をもたらす。
【００４９】
図５は、本開示の一実施形態による、コンポーネント２００の表面に光１８０を放つ照明アセンブリ１１６の端面図を示す。光源１２６は、反射器システム１２４内にあり、例えば、光源１２６の中心から中央頂部１３６までを測定した場合の距離は２インチ未満である。少なくとも１つの実施形態において、基部１３０及び側面反射板パネル１３２（並びに図１及び２に示すつま面１３４）は、アルミニウムなどの高反射率金属又はフルオロポリマーなどの高拡散反射体から形成される。図５に示されている通り、光源１２６は、コンポーネント２００の中心の真上に位置してもよい。
【００５０】
図６は、本開示の一実施形態による、コンポーネント２００の表面に光１８０を放つ照明アセンブリ１１６の端面図を示す。図６に示されている通り、光源１２６は、コンポーネント２００の中心の真上になくてもよい。コンポーネント２００の光束は、コンポーネント２００に対する照明アセンブリ１１６の角度によって調整されうる。
【００５１】
図１−６を参照すると、反射器システム１２４の反射率を高めるために、高純度アルミニウムをその反射面上に真空蒸着することができる。例えば、反射器システム１２４は、６０６１鏡面研磨アルミニウム、他の研磨金属表面、ガラス等の基材から、上述のように形成されてもよい。中央部をＷ字状に湾曲させて基部１３０を形成することができる。その後、高純度アルミニウムを反射面上に真空蒸着することができる。
【００５２】
反射器システム１２４は、アルミニウムで真空蒸着することができ、ＭｇＦ２などの保護コーティングを含みうる。反射器システム１２４は、フルオロポリマーのシート（例えば、２２０ｎｍ-２９０ｎｍの間で≧７０％の反射率を有するポリテトラフルオロエチレン（ＰＴＦＥ）など）、９２％の拡散反射率を有する焼結ＰＴＦＥでできた多孔質シート、焼結ＰＴＦＥの機械加工ブロック（例えば２２０ｎｍから２９０ｎｍ以上のＵＶ−Ｃ波長域で≧９０％の拡散反射率を有するＳｐｅｃｔｒａｌｏｎフルオロポリマー）、２２０ｎｍで反射する誘導体分散ブラッグ反射器スタック（dielectric distributed Bragg reflector stack）、２つ以上の狭帯域波長の同時高反射率又は広帯域波長範囲（例えば２２０ｎｍから２５５ｎｍ、２５０ｎｍから２９０ｎｍ、２２０ｎｍから２９０ｎｍ）にわたる高反射率を達成する、高次高反射率（ＨＲ）誘電体多層コーティング等から形成することができる。
【００５３】
少なくとも１つの実施形態において、光源１２６は、１つ以上のＵＶＣランプを含んでもよい。例えば、光源１２６は、直列又は並列に接続された２つのＵＶＣ光ランプを含んでもよい。
【００５４】
図７は、本開示の一実施形態による、照明アセンブリの反射器システムを形成する方法のフロー図を示す。この方法は３００で始まり、そこで基材が提供される。基材は、金属などの材料の平板である。少なくとも１つの実施形態では、基材は、アルミニウムの扁平片である。
【００５５】
３０２で、Ｗ字形基部が基材から形成される。少なくとも１つの実施形態において、平板は基材から切り取り、（例えば曲げ加工によって）Ｗ字形基部に形成することができる。少なくとも１つの他の実施形態において、基材自体の一部をＷ字形基部に形成することができる。
【００５６】
３０４で、両側面反射板パネルもまた、Ｗ字形基部の側面上の基材から形成される。例えば、別々の平板を基材から切り取り、例えば接合、締め具などを介してＷ字形基部に取り付けることができる。少なくとも１つの他の実施形態では、基材は、（例えば曲げ加工によって）形成され、先に形成されたＷ字形基部から両側面反射板を形成する。
【００５７】
本明細書に記載の通り、本開示の実施形態は、均一に光を表面に反射するように構成されている、ＵＶ照明アセンブリ用の反射器システムを提供する。更に、本開示の実施形態は、航空機の化粧室内などの限られた空間に組み込むことができる、ＵＶ照明アセンブリ用の効率的でコンパクトな反射器システムを提供する。また、本開示の実施形態は、反射器から外へ向けられる光の量を増加させながら、光源に反射される光を減少させるＵＶランプ反射器を提供する。
【００５８】
更に本開示は、以下の条項による実施形態を含む。
条項１．
放出光（１８０）を光（１８０）源から離れる方向に方向付けるように構成されている内部中央頂部（１３６）を有する基部（１３０）を含む反射器システム（１２４）
を備える照明アセンブリ。
条項２．
反射器システム（１２４）内に配置された光（１８０）源を更に備え、光（１８０）源が紫外（ＵＶ）光（１８０）を放出するように構成されている、条項１の照明アセンブリ（１１６）。
条項３．
中央頂部（１３６）が、光（１８０）源から放出された光が光（１８０）源に対して反射することを阻止する、条項２の照明アセンブリ（１１６）。
条項４．
中央頂部（１３６）が光（１８０）源の後ろにあり、光（１８０）源が反射器システム（１２４）の中央頂部（１３６）と出光（１８０）路との間にある、条項２又は３の照明アセンブリ（１１６）。
条項５．
中央頂部（１３６）と光（１８０）源が反射器システム（１２４）の中心平面に沿って一直線に並んでいる、条項２、３又は４のいずれか一項の照明アセンブリ（１１６）。
条項６．
光（１８０）源を中央頂部（１３６）にしっかりと連結する保持部材（１２８）を更に備える、条項２−５のいずれか一項の照明アセンブリ（１１６）。
条項７．
基部（１３０）がＷ字形である、条項１−６のいずれか一項の照明アセンブリ（１１６）。
条項８．
基部（１３０）が、
外側反射板パネル（１４０）；及び
外側反射板パネル（１４０）に連結されている内側反射板パネル（１４２）であって、内側反射板パネル（１４２）が、外端部（１４３，１４７）から中央長手方向平面（１４４，１５０）に向かって下方に傾斜し、かつ、中央頂部（１３６）で互いに直接連結しており、内側反射板パネル（１４２）の外端部（１４３，１４７）が山側頂点（１４６）で外側反射板パネル（１４０）の内端部（１４５）に連結している、内側反射板パネル（１４２）
を備える、
条項１−７のいずれか一項の照明アセンブリ（１１６）。
条項９．
反射器システム（１２４）が、基部（１３０）の側面に位置する両側面反射板パネル（１３２）を更に備える、条項１−８のいずれか一項の照明アセンブリ（１１６）。
条項１０．
反射器システム（１２４）が両端部につま面（１３２）を更に備える、条項１−９のいずれか一項の照明アセンブリ（１１６）。
条項１１．
基部（１３０）が単一の基材から形成される、条項１−１０のいずれか一項の照明アセンブリ（１１６）。
条項１２．
反射器システム（１２４）の長さ（１７０，１７２）が反射器システム（１２４）の幅（１７４）より大きい、条項１−１１のいずれか一項の照明アセンブリ（１１６）。
条項１３．
照明アセンブリ（１１６）を製造する方法であって、
反射器システム（１２４）を形成することを含み、前記反射器システム（１２４）を形成することが、放出光（１８０）を光（１８０）源から離れる方向に方向付けるように構成されている内部中央頂部（１３６）を有する基部（１３０）を形成することを含む、方法。
条項１４．
光（１８０）源を反射器システム（１２４）内に配置することを更に含み、光（１８０）源が紫外（ＵＶ）光（１８０）を放出するように構成されている、条項１３の方法。
条項１５．
中央頂部（１３６）を光（１８０）源の後ろに配置することを更に含み、中央頂部（１３６）を配置することが、中央頂部（１３６）と出光（１８０）路の間に光（１８０）源を配置することを含む、条項１３又は１４の方法。
条項１６．
中央頂部（１３６）及び光（１８０）源を反射器システム（１２４）の中心平面に沿って一直線に並べることを更に含む条項１３、１４又は１５の方法。
条項１７．
保持部材（１２８）で光（１８０）源を中央頂部（１３６）にしっかりと連結させることを更に含む、条項１３−１６のいずれか一項の方法。
条項１８．
反射器システム（１２４）を形成することが、基部（１３０）をＷ字形に成形することを含む、条項１３−１７のいずれか一項の方法。
条項１９．
反射器システム（１２４）を形成することが内側反射板パネル（１４２）を外側反射板パネル（１４０）に連結することを含む、条項１３−１８のいずれか一項の方法であって、
内側反射板パネル（１４２）が、外端部（１４３，１４７）から中央長手方向平面（１４４，１５０）に向かって下方に傾斜し、かつ、中央頂部（１３６）で互いに直接連結しており、内側反射板パネル（１４２）の外端部（１４３，１４７）が山側頂点（１４６）で外側反射板パネル（１４０）の内端部（１４５）に連結している、方法。
条項２０．
基部（１３０）の左右に両側面反射板パネル（１３２）を形成することを更に含む、条項１３−１９のいずれか一項の方法。
条項２１．
照明アセンブリ（１１６）であって、
ＵＶＣ光（１８０）を放出するように構成されている紫外（ＵＶ）光（１８０）源；
放出光（１８０）を光（１８０）源から離れた方向に方向付けるように構成されている内部中央頂部（１３６）、側面に位置する両側面反射板パネル（１３２）、及び両端部のつま面（１３２）を有するＷ字形基部（１３０）を含む反射器システム（１２４）であって、ＵＶ光（１８０）源が反射器システム（１２４）内に配置され、中央頂部（１３６）が、光（１８０）源から放出された光（１８０）が光（１８０）源に対して反射することを阻止し、中央頂部（１３６）が光（１８０）源の後ろにあり、光（１８０）源は反射器システム（１２４）の中央頂部（１３６）と出光（１８０）路の間に配置され、反射器システム（１２４）の長さ（１７０，１７２）は反射器システム（１２４）の幅（１７４）より大きい、反射器システム（１２４）；及び
光（１８０）源をしっかり保持する保持部材（１２８）
を備える照明アセンブリ（１１６）。
【００５９】
本開示の実施形態の説明のために、上部、底部、下方、中央、横方向、水平、垂直、前方などの空間及び方向に関する様々な用語が用いられる場合があるが、そのような語は図面で示す方向に関するものとして用いられているにすぎないことを理解されたい。これらの方向は、上部が下部になる、その逆、水平が垂直になる等のように、反転、回転、又はその他の方法で変更されうる。
【００６０】
本明細書で用いられる場合、タスク又は作業を実施する「ように構成され（configured to）」ている構造、限定事項又は要素は、当該仕事又は作業に対応する方法で、特に構造的に形成、構成又は適合されている。明確にするため及び疑義回避のために、変更しなければ当該仕事又は作業を実施することができない対象物は、本明細書で用いられる仕事又は作業を実施する「ように構成」されているものではない。
【００６１】
上記の説明は、限定ではなく例示を意図するものであることを理解されたい。例えば、上述の実施形態（及び／又はそれらの態様）は、互いに組み合わされて使用されうる。更に、本開示の様々な実施形態の範囲から逸脱することなく、特定の状況又は材料に適合するように、本開示の様々な実施形態の教示に多くの修正を加えることができる。本明細書に記載の材料の寸法及び種類は、本開示の様々な実施形態のパラメータを定義することを意図しているが、これらの実施形態は決して限定的なものではなく、例示的な実施形態である。上の記述を検討すれば、他の多くの実施形態が当業者には明らかになるであろう。したがって、本開示の様々な実施形態の範囲は、添付の特許請求の範囲とともに、かかる特許請求の範囲が権利を有する均等物の全範囲を参照して決定されるものとする。添付の特許請求の範囲において、「含む（including）」及び「これにおいて（in which）」という用語はそれぞれ、「備える（comprising）」及び「ここで（wherein）」という用語の明白な同義語として使用される。また、「第１の」、「第２の」及び「第３の」等の用語は、単にラベルとして使用されており、それらの対象物に数的要件を付すことを意図するものではない。更に、以下の特許請求の範囲の限定は、ミーンズ・プラス・ファンクション形式で記述されておらず、かかる特許請求の範囲の限定が、更なる構造を欠く機能の記述が後続する、「〜のための手段（ｍｅａｎｓ  ｆｏｒ）」という言い回しを明示的に使用しない限り、米国特許法第１１２条（ｆ）に基づいて解釈されることを意図するものではない。
【００６２】
本明細書では、実施例を用いて、ベストモードを含む本発明の様々な実施形態を開示するとともに、任意の装置又はシステムの作成及び使用、並びに任意の統合された方法の実施を含め、本開示の様々な実施形態を当業者が実施することを可能にしている。本開示の様々な実施形態の特許性のある範囲は、特許請求の範囲によって規定され、当業者が想到するその他の実施例を含みうる。このようなその他の実施例は、それらが特許請求の範囲の文言と相違しない構造的要素を有する場合、又はそれらが特許請求の範囲の文言と実質的に異ならない等価な構造的要素を含む場合には、特許請求の範囲内に入ることが意図される。
【図１】
2019072476.tif 000003
【図２】
2019072476.tif 000004
【図３】
2019072476.tif 000005
【図４】
2019072476.tif 000006
【図５】
2019072476.tif 000007
【図６】
2019072476.tif 000008
【図７】
2019072476.tif 000009
【外国語明細書】
2019072476000001.pdf
2019072476000002.pdf
2019072476000003.pdf
2019072476000004.pdf